(57)【要約】【課題】透光性カバーと端部カバーとの接合強度を向上させ、カバー全体の剛性を向上させることを目的とする。【解決手段】照明具２は、基板取付部２４１と透光性カバー２１と端部カバー２２とを有する。基板取付部２４１は、実装面３４０に発光素子３１が実装された基板３４を配置する。透光性カバー２１は、実装面３４０を覆う長尺を成し、長手方向の端部に開口部２０１を形成する端面部２１４を有する。端部カバー２２は、開口部２０１を塞ぐ。端部カバー２２は、開口部２０１に嵌り込む嵌合部２９９と、嵌合部２９９の周囲に端面部２１４が接している当接面部２８３とを有する。端面部２１４は、Ｔ字形状を成すＴ字形状部２１５を一部に有する。当接面部２８３は、Ｔ字形状部２１５とＴ字状に接合されている接合部２８４を有する。【選択図】図１０
2019029172.tif 000002
【特許請求の範囲】
【請求項１】
実装面に発光素子が実装された基板を配置する基板取付部と、
前記実装面を覆う長尺の透光性カバーであって、長手方向の端部に開口部を形成する端面部を有する透光性カバーと、
前記開口部を塞ぐ端部カバーであって、前記開口部に嵌り込む嵌合部と前記嵌合部の周囲に前記端面部が接している当接面部とを有する端部カバーと
を備え、
前記端面部は、Ｔ字形状を成すＴ字形状部を一部に有し、
前記当接面部は、
前記Ｔ字形状部とＴ字状に接合されている接合部を有する照明具。
【請求項２】
前記接合部は、
前記当接面部のうち前記発光素子から発せられる１次照射光が照射されない部分に設けられている請求項１に記載の照明具。
【請求項３】
前記接合部では、前記当接面部と前記Ｔ字形状部とがＴ字状に溶着されている請求項１または２に記載の照明具。
【請求項４】
前記接合部では、前記当接面部と前記Ｔ字形状部とがＴ字状に接着されている請求項１または２に記載の照明具。
【請求項５】
前記照明具は、
前記基板取付部を有する支持部材を備え、
前記透光性カバーは、
前記基板取付部に対向するカバー主部と、前記カバー主部の短手方向端部から前記基板取付部に向かって形成されたカバー側部と、前記カバー側部の端部から前記基板取付部に向かって突き出ており、前記支持部材と係り合っているカバー係合部と、前記カバー側部の端部から短手方向中央部に向かって突き出ており、前記支持部材を保持するカバー保持部とを有し、
前記Ｔ字形状部は、
前記カバー側部の上端部と前記カバー係合部の下端部と前記カバー保持部の短手方向端部とから構成されている請求項１から４のいずれか１項に記載の照明具。
【請求項６】
請求項１から５のいずれか１項に記載の照明具と、
前記照明具を取り付けるユニット取付部を有する照明器具と
を備えた照明装置。
【発明の詳細な説明】
【技術分野】
【０００１】
本発明は、ＬＥＤ（発光ダイオード）といった固体発光素子を用いた照明具に関する。特に、カバー全体の剛性を向上させる照明具に関する。
【背景技術】
【０００２】
特許文献１には、光源一体型ＬＥＤベースライトにおいて、透光性カバーの端部の開口を覆う端部カバーが開示されている。
【先行技術文献】
【特許文献】
【０００３】
【特許文献１】特開２０１７−０９１９６１号公報
【発明の概要】
【発明が解決しようとする課題】
【０００４】
従来の光源一体型ＬＥＤベースライトでは、透光性カバーと端部カバーとの接合部分の接合強度が充分でないという課題がある。
【課題を解決するための手段】
【０００５】
本発明に係る照明具は、実装面に発光素子が実装された基板を配置する基板取付部と、前記実装面を覆う長尺の透光性カバーであって、長手方向の端部に開口部を形成する端面部を有する透光性カバーと、前記開口部を塞ぐ端部カバーであって、前記開口部に嵌り込む嵌合部と前記嵌合部の周囲に前記端面部が接している当接面部とを有する端部カバーとを備え、前記端面部は、Ｔ字形状を成すＴ字形状部を一部に有し、前記当接面部は、前記Ｔ字形状部とＴ字状に接合されている接合部を有する。
【発明の効果】
【０００６】
本発明に係る照明具は、端面部がＴ字形状を成すＴ字形状部を一部に有し、当接面部がＴ字形状部とＴ字状に接合されている接合部を有する。よって、本発明に係る照明具によれば、透光性カバーと端部カバーとの接合強度を向上させ、カバー全体の剛性を向上させることができる。
【図面の簡単な説明】
【０００７】
【図１】実施の形態１に係る照明装置の斜視図。
【図２】実施の形態１に係る照明装置の組立斜視図。
【図３】実施の形態１に係る照明具の斜視図。
【図４】実施の形態１に係る照明具のＡ−Ａ断面図。
【図５】実施の形態１に係る照明具の取り付けを説明する図。
【図６】実施の形態１に係る照明具の主要部を説明する分解斜視図。
【図７】実施の形態１に係る照明具の端部を説明する分解図。
【図８】実施の形態１に係る端部カバーを説明する斜視図。
【図９】実施の形態１に係る端部カバーを説明する５面図。
【図１０】実施の形態１に係る端部カバーの接合位置を説明する図。
【発明を実施するための形態】
【０００８】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。なお、以下の説明では、照明装置５００を取り付ける造営部９００の方向を取付方向あるいは上方とし、光源の照射方向を下方として説明する。
【０００９】
実施の形態１．
＊＊＊構成の説明＊＊＊
図１は、本実施の形態に係る照明装置５００の斜視図である。
図２は、本実施の形態に係る照明装置５００の組立斜視図である。
図３は、本実施の形態に係る照明具２の斜視図である。
図４は、本実施の形態に係る照明具のＡ−Ａ断面図である。
図５は、本実施の形態に係る照明具２の取り付けを説明する図である。
図６は、本実施の形態に係る照明具２の主要部を説明する分解斜視図である。
図１から図６を用いて、本実施の形態に係る照明装置５００について説明する。
【００１０】
本実施の形態に係る照明装置５００は、天井あるいは壁といった造営部９００に取り付けられる照明装置であり、長手方向に延びた長尺状の照明装置である。照明装置５００は、光源一体型ＬＥＤベースライトともいう。
照明装置５００は、照明具２と、照明具２を着脱可能に取り付ける照明器具１とを有する。
【００１１】
＜照明器具１の説明＞
照明器具１は、器具本体１０と、器具本体１０の両端部に取り付けられる端板部１５とを備える。
器具本体１０は、コの字状に折り曲げられて形成され、長手方向に延びたユニット取付部１１を備える。器具本体１０は、板金が折り曲げられて形成される。ユニット取付部１１は、照明具２を取り付ける。また、ユニット取付部１１は、照明具２を収容する収容部ともいう。
端板部１５は、器具本体１０の端面を塞ぐように器具本体１０に取り付けられる。
【００１２】
ユニット取付部１１は、長手方向に延びた底面部１１１と、底面部１１１の短手方向の両端部を基端部として立ち上がる側面部１１２とを備える。また、ユニット取付部１１は、側面部１１２の先端部を開口縁部１１３とする開口１１４が形成される。また、器具本体１０は、開口縁部１１３から取付側に向かって広がるように形成された傾斜部１１５を備える。
【００１３】
ユニット取付部１１の底面部１１１には、２つの器具側取付具１２と、電源に接続された器具電源線材１３が設置される。器具電源線材１３は、器具側コネクタ１４を有する。器具側取付具１２は、後述する照明具２が備えるユニット側取付具４６に対応する位置に配置される。器具側取付具１２は、照明具２が備えるユニット側取付具４６と係り合う板バネである。
なお、器具側取付具１２は、照明器具１の形状に応じて、底面部１１１に設置される数が変更することができる。照明器具１の長手方向の長さが短い場合は、長手方向の一端部のみに器具側取付具１２を設置し他端部はフックで固定する機構としてもよい。また、照明器具１の長手方向の長さが長い場合は、長手方向の両端部と中央部に器具側取付具１２を設置してもよい。中央部に器具側取付具１２を設置する場合は、器具側取付具１２および器具側取付具１２に対応するユニット側取付具４６が、照明具２に取り付けられた電源ユニット４０と干渉しない位置を選択する。
【００１４】
＜照明具２の説明＞
照明具２は、外郭部２０と発光モジュール３０とを備える。外郭部２０は、透光性カバー２１と、端部カバー２２と、支持部材２４とを備える。照明具２は、光源ユニットともいう。
【００１５】
＜＜支持部材２４＞＞
支持部材２４は、板状を成し、一面に基板３４を取り付ける基板取付部２４１を有する。支持部材２４は、長手方向に延びでおり、断面コ字状を成す。支持部材２４は、長形の平板状である主部２４０と、主部２４０の短手方向端部を基端部２４５として立ち上がる側部２４４とを備える。側部２４４は、照明具２が照明器具１に取り付けられた状態で、照明器具１のユニット取付部１１の底面部１１１に向かって立ち上がる。側部２４４の先端部２４６は、透光性カバー２１と係り合う係合部ともいう。
支持部材２４において、発光モジュール３０が取り付けられる面を基板取付部２４１とする。また、基板取付部２４１の裏面側であり、電源ユニット４０が取り付けられる面を電源取付部２４２とする。
【００１６】
支持部材２４の基板取付部２４１には、発光モジュール３０が配置される。基板取付部２４１は、照射側面部、あるいは基板取付面部ともいう。
発光モジュール３０は、基板３４と発光素子３１とを備える。基板３４の実装面３４０には発光素子３１が実装される。発光素子３１は、具体的には、ＬＥＤである。なお、発光素子３１は、有機ＥＬあるいはレーザといった発光素子でもよい。また、実装面３４０の裏面である接着面３４１は、支持部材２４の基板取付部２４１に接着部材４９により接着される。基板３４は、長方形を成す。すなわち、実装面３４０は、長方形を成す。
【００１７】
支持部材２４の電源取付部２４２には、電源ユニット４０と、端子台４１と、２つのユニット側取付具４６とが設置される。また、電源ユニット４０と端子台４１とを接続するユニット電源線材４２が配線される。ユニット電源線材４２は、ユニット側コネクタ４３を備える。電源取付部２４２は、器具側面部、あるいは電源取付面部ともいう。
電源ユニット４０は、主部２４０の長手方向中央より一方側に寄せて取り付けられている。なお、電源ユニット４０は、主部２４０の長手方向中央に取り付けられていても構わない。
２つのユニット側取付具４６は、主部２４０の長手方向の両端側にそれぞれ取り付けられている。ユニット側取付具４６は、照明器具１が備える器具側取付具１２と係り合い、照明具２を照明器具１に固定する。
なお、ユニット側取付具４６は、照明具２の形状に応じて設置される数が変更することができる。照明具２の長手方向の長さが短い場合は、長手方向の一端部のみにユニット側取付具４６を設置し他端部はフックで固定する機構としてもよい。また、照明具２の長手方向の長さが長い場合は、長手方向の両端部と中央部にユニット側取付具４６を設置してもよい。中央部にユニット側取付具４６を設置する場合は、ユニット側取付具４６およびユニット側取付具４６に対応し照明器具１に配置され器具側取付具１２が、電源ユニット４０と干渉しない位置を選択する。
【００１８】
ここで、図５を用いて、照明器具１に照明具２を取り付ける方法について説明する。
まず、造営部９００である天井に照明器具１を取り付ける。照明器具１を天井に取り付ける方法には、天井からつり下げられている吊ボルトに固定する方法、あるいは、ネジといった固定具により直接天井に固定する方法がある。
照明器具１を造営部９００に取り付ける際、天井から引き出された電源電線、すなわちＦケーブルを、照明器具１のユニット取付部１１内に引き込み、端子台を介して器具電源線材１３に接続する。
次に、図５に示すように、板バネである器具側取付具１２を照明具２のユニット側取付具４６と係合させる。ユニット側取付具４６は、バネ受け金具ともいう。このとき、照明具２と照明器具１との間に作業空間が存在する状態で、照明器具１の器具電源線材１３と照明具２のユニット電源線材４２とを接続するといった作業が行われる。その後、照明具２を照明器具１に向かって押し上げ、照明具２が照明器具１に取り付けられる。
【００１９】
＜＜透光性カバー２１＞＞
透光性カバー２１は、基板３４および基板取付部２４１を覆って支持部材２４に取り付けられる。透光性カバー２１は、カバー主部２１０と、カバー側部２１１と、カバー係合部２１２と、カバー保持部２１３とを備える。透光性カバー２１は、第１外郭部の例である。
カバー主部２１０は、透光性カバー２１の前面に位置し、基板取付部２４１に対向する部分である。カバー主部２１０は、前面透光部ともいう。カバー側部２１１は、カバー主部２１０の短手方向端部から基板取付部２４１に向かって形成された部分である。カバー側部２１１は、側面透光部ともいう。カバー係合部２１２は、カバー側部２１１の端部から取付方向に突き出た部分であり、支持部材２４の側部２４４と係り合い、透光性カバー２１を支持部材２４に取り付ける。カバー保持部２１３は、カバー側部２１１から短手方向中央部に向かって突き出た部分であり、支持部材２４の主部２４０と係り合い、透光性カバー２１を支持部材２４に保持する。透光性カバー２１は、カバー係合部２１２が支持部材２４の側部２４４の先端部２４６を覆うとともに、カバー保持部２１３が支持部材２４の主部２４０を保持することにより、支持部材２４に固定される。
以上のように、透光性カバー２１は、実装面３４０を覆う長尺である。また、透光性カバー２１は、端部の面である端面部２１４とする。端面部２１４は、長手方向の端部に開口部２０１を形成する。透光性カバー２１は、支持部材２４に取り付けられた発光モジュール３０を覆うように支持部材２４に取り付けられる。
【００２０】
＜＜端部カバー２２＞＞
図７は、本実施の形態に係る照明具２の端部を説明する分解図であり、（ａ）が端部カバー２２を外した状態の分解斜視図、（ｂ）が（ａ）の状態の分解側面図である。
図８は、本実施の形態に係る端部カバー２２を説明する斜視図であり、（ａ）が内面側から見た斜視図、（ｂ）が外面側から見た斜視図である。
図９は、本実施の形態に係る端部カバー２２を説明する５面図である。
図１０は、本実施の形態に係る端部カバー２２の接合位置を説明する図である。
図７から図１０を用いて、端部カバー２２の構成、および、端部カバー２２の接合方法について説明する。
【００２１】
図７に示すように、支持部材２４の電源取付部２４２には、発光モジュール３０に電力を供給する給電線材４４が設置される。図３に示すように、給電線材４４は、配線ホルダ４８により、電源取付部２４２の側縁部２４３に固定されている。給電線材４４は、照明具２の端部において配線クランプ４７により固定される。給電線材４４は、基板３４の端面３４２を介して、支持部材２４の基板取付部２４１に取り付けられた基板３４の実装面３４０に配線される。基板３４の実装面３４０において、給電線材４４の給電コネクタと発光モジュール３０の基板コネクタとが接続される。このようにして、基板３４に電力を供給することが可能となる。
【００２２】
図７に示すように、透光性カバー２１の端面には開口部２０１が形成されている。透光性カバー２１の開口部２０１の縁部が端面部２１４となる。また、図４に示すように、端面部２１４は、Ｔ字形状を成すＴ字形状部２１５を一部に有する。Ｔ字形状部２１５は、端面部２１４のうち、端部カバー２２の接合部２８４と接合される部分である。Ｔ字形状部２１５は、カバー接合部ともいう。Ｔ字形状部２１５は、カバー側部２１１の上端部とカバー係合部２１２の下端部とカバー保持部２１３の短手方向端部とから構成されている。
【００２３】
端部カバー２２は、開口部２０１を塞ぐ閉塞部２０２ともいう。端部カバー２２は、底部２２０と、周部２２１と、第１突出片２２２と、第２突出片２２５とを備える。底部２２０は、開口部２０１を閉塞する。周部２２１は、底部２２０の周縁から透光性カバー２１に向かって形成されている。第１突出片２２２は、取付ガイド部ともいう。第２突出片２２５は、支持片、あるいは、捕捉部ともいう。端部カバー２２は、第２外郭部の例である。
嵌合部２９９は、周部２２１の先端から透光性カバー２１に向かって形成されている。嵌合部２９９は、開口部２０１に嵌り込む。そして、嵌合部２９９の外周面である外周部２８１が開口部２０１の内面に接する、あるいは、対向する。嵌合部２９９の内周面を内周部２８２とする。また、端部カバー２２は、嵌合部２９９の周囲に、透光性カバー２１の端面部２１４が接している当接面部２８３を有する。
また、端部カバー２２は、当接面部２８３のうちＴ字状に端面部２１４と接合されている接合部２８４を有する。
【００２４】
＜＜＜端部カバー２２の取り付けについて＞＞＞
図７の（ｂ）に示すように、配線クランプ４７は、支持部材２４と透光性カバー２１とが組み立てられた状態で、透光性カバー２１の端面から突出するガイド部４７１を備える。
まず、端部カバー２２の第１突出片２２２の上面である対向面部２２４を透光性カバー２１の端面から突出するガイド部４７１の下面に当接させて、端部カバー２２の位置決めをする。そして、その状態で端部カバー２２を透光性カバー２１の端面に押し込む。これにより、端部カバー２２の嵌合部２９９と透光性カバー２１の端面部２１４の内側に嵌まり込み、端部カバー２２が透光性カバー２１の端面に取り付けられる。
このとき、透光性カバー２１の端面部２１４と端部カバー２２の当接面部２８３とは、当たって接する。あるいは、透光性カバー２１の端面部２１４と端部カバー２２の当接面部２８３とは、若干の隙間を持って対向する構成でもよい。
【００２５】
上述したように、透光性カバー２１は、カバー主部２１０と、カバー側部２１１と、カバー係合部２１２と、カバー保持部２１３と備える。すなわち、透光性カバー２１の端面部２１４は、カバー主部２１０に対応する部分と、カバー側部２１１に対応する部分と、カバー係合部２１２に対応する部分と、カバー保持部２１３に対応する部分とから構成される。
端部カバー２２において、当接面部２８３のうち、カバー主部２１０に対応する端面部２１４と接する、あるいは、対向する部分を主部当接部２８３ａとする。また、当接面部２８３のうち、カバー側部２１１に対応する端面部２１４と接する、あるいは、対向する部分を側部当接部２８３ｂとする。また、当接面部２８３のうち、カバー係合部２１２に対応する端面部２１４と接する、あるいは、対向する部分を係合部当接部２８３ｃとする。また、当接面部２８３のうち、カバー保持部２１３に対応する端面部２１４と接する、あるいは、対向する部分を保持部当接部２８３ｄとする。
【００２６】
当接面部２８３は、Ｔ字形状部２１５とＴ字状に接合されている接合部２８４を有する。接合には、溶着および接着が含まれる。すなわち、接合部２８４では、当接面部２８３とＴ字形状部２１５とがＴ字状に溶着されている。あるいは、接合部２８４では、当接面部２８３とＴ字形状部２１５とがＴ字状に接着されている。
【００２７】
上述したように、透光性カバー２１は、端面部２１４のうちＴ字状に端部カバー２２の接合部２８４と接合されているＴ字形状部２１５を有する。Ｔ字形状部２１５は、端面部２１４のうち、側部端面部２１５ａと係合部端面部２１５ｂと保持部端面部２１５ｃとから略Ｔ字状に構成される。側部端面部２１５ａは、端面部２１４のうち、カバー側部２１１の上端部に対応する部分である。係合部端面部２１５ｂは、端面部２１４のうち、カバー係合部２１２の下端部に対応する部分である。保持部端面部２１５ｃは、端面部２１４のうち、カバー保持部２１３の短手方向端部に対応する部分である。
接合部２８４では、当接面部２８３と、側部端面部２１５ａと係合部端面部２１５ｂと保持部端面部２１５ｃとが、Ｔ字状に接合されている。
【００２８】
図１０に示すように、側部当接部２８３ｂの上端部と、係合部当接部２８３ｃの下端部と、保持部当接部２８３ｄの短手方向端部とにより略Ｔ字状を形成して、接合部２８４を構成している。
接合部２８４は、当接面部２８３のうち発光素子３１から発せられる１次照射光が照射されない部分に設けられる。
Ｐ１−Ｐ２ラインの内側、すなわち照射角θ１の範囲Ｒ１は、発光素子３１からの１次照射光がカバー主部２１０を通過する範囲である。接合部２８４は、照射角θ１の範囲の外側の範囲Ｒ２に設けることが好ましい。
また、Ｐ１−Ｐ３ラインの内側、すなわち照射角θ２の範囲は、発光素子３１からの１次照射光が遮られることなく、カバー主部２１０およびカバー側部２１１を通過する範囲である。よって、接合部２８４は、照射角θ２の範囲の外側の範囲Ｒ３に設けることが、より好ましい。
【００２９】
＊＊＊本実施の形態の効果の説明＊＊＊
本実施の形態に係る照明具２によれば、Ｔ字状の接合部を設けているので、透光性カバー２１と端部カバー２２との接合強度を向上させ、カバー全体の剛性を向上させることができる。また、図１０に示すように、接合部は、当接面部のうち発光素子から発せられる１次照射光が照射されない部分に設けられる。よって、透光性カバー２１と端部カバー２２の接続部の光学性能と意匠性とを損なうことなく、接合強度を向上させ、カバー全体の剛性を向上させることができる。
【００３０】
＊＊＊他の構成＊＊＊
なお、接合部２８４とＴ字形状部２１５は、Ｔ字状を含む形状に接合されていればよい。Ｔ字状の交点から延びた線分のうちの少なくともいずれかが、長く延びている形状に接合されていてもよい。あるいは、Ｔ字状の交点から延びた線分のうちの少なくともいずれかが、曲線を描いている形状に接合されていてもよい。接合部２８４とＴ字形状部２１５との接合部分の形状は、単なる線ではなく、線と線が交わっている形状であればどのような形状でも構わない。
【００３１】
カバー主部２１０に対応する端面部２１４と主部当接部２８３ａとが接合されていても構わない。カバー主部２１０に対応する端面部２１４と主部当接部２８３ａとを接合する場合は、隙間を塞ぐ程度の軽い溶着あるいは接着が好ましい。
【００３２】
実施の形態１のうち、複数の部分を組み合わせて実施しても構わない。あるいは、この実施の形態のうち、１つの部分を実施しても構わない。その他、この実施の形態を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００３３】
５００  照明装置、１  照明器具、１０  器具本体、１１  ユニット取付部、１２  器具側取付具、１３  器具電源線材、１４  器具側コネクタ、１５  端板部、１１１  底面部、１１２  側面部、１１３  開口縁部、１１４  開口、１１５  傾斜部、２  照明具、２０  外郭部、２１  透光性カバー、２０１  開口部、２０２  閉塞部、２１０  カバー主部、２１１  カバー側部、２１２  カバー係合部、２１３  カバー保持部、２１４  端面部、２１５  Ｔ字形状部、２１５ａ  側部端面部、２１５ｂ  係合部端面部、２１５ｃ  保持部端面部、２２  端部カバー、２２０  底部、２２１  周部、２２２  第１突出片、２２４  対向面部、２２５  第２突出片、２９９  嵌合部、２４  支持部材、２４０
主部、２４１  基板取付部、２４２  電源取付部、２４３  側縁部、２４４  側部、２４５  基端部、２４６  先端部、２８１  外周部、２８２  内周部、２８３  当接面部、２８３ａ  主部当接部、２８３ｂ  側部当接部、２８３ｃ  係合部当接部、２８３ｄ  保持部当接部、２８４  接合部、３０  発光モジュール、３１  発光素子、３４  基板、３４０  実装面、３４１  接着面、３４２  端面、４０  電源ユニット、４１  端子台、４２  ユニット電源線材、４３  ユニット側コネクタ、４４  給電線材、４６  ユニット側取付具、４７  配線クランプ、４７１  ガイド部、４８  配線ホルダ、４９  接着部材、９００  造営部。
【図１】
2019029172.tif 000003
【図２】
2019029172.tif 000004
【図３】
2019029172.tif 000005
【図４】
2019029172.tif 000006
【図５】
2019029172.tif 000007
【図６】
2019029172.tif 000008
【図７】
2019029172.tif 000009
【図８】
2019029172.tif 000010
【図９】
2019029172.tif 000011
【図１０】
2019029172.tif 000012